(57)【要約】【課題】費用および手間を最少限にして設置できかつ簡便に線路開閉器のロック状態を表示できるロック中札表示器を提供する。【解決手段】送電路を開閉する線路開閉器が開状態にロックされた状態であることを示すロック中札表示器１であって、ロック中であることの表示を有する表示板２と、線路開閉器の操作レバーに連動して表示板２の向きが変わるように表示板２を支持する支持部３とを具備する。ロック中札表示器１は、操作レバーがロック解除位置にあるときは表示板２の表示が見えず、操作レバーがロック位置にあるときは表示板２の表示が見えるように、支持部３によって操作レバーに取り付けられる。【選択図】図１
2008010172.tif 000002
【特許請求の範囲】
【請求項１】
送電路を開閉する線路開閉器が開状態にロックされた状態であることを示すロック中札表示器であって、
ロック中であることの表示を有する表示板と、
前記線路開閉器の操作レバーに連動して前記表示板の向きが変わるように前記表示板を支持する支持部とを具備し、
前記操作レバーがロック解除位置にあるときは前記表示板の表示が見えず、前記操作レバーがロック位置にあるときは前記表示板の表示が見えるように、前記支持部によって前記操作レバーに取り付けられる、
ことを特徴とする、ロック中札表示器。
【請求項２】
前記支持部が、逆Ｕ字形断面の接続金具（３）を備え、
該接続金具の固着面（５）に、前記表示板（２）の表示が該接続金具の開口部側を向くように、該表示板の側面が固着されており、
前記操作レバー（１３）が垂直方向に回動可能に構成されており、
前記ロック中札表示器（１）が、前記操作レバーがロック解除位置にあるときは前記表示板が地面側を向き、該操作レバーがロック位置にあるときは前記表示板が前記線路開閉器（１０）の正面側を向くように、前記支持部によって前記操作レバーに取り付けられる、
ことを特徴とする、請求項１記載のロック中札表示器。
【請求項３】
前記支持部が、断面コ字形の接続金具（２３）を備え、
該接続金具の固着面（２５）に、前記表示板（２２）の表示が該接続金具の開口部側を向くように、該表示板の底面が固着されており、
前記操作レバー（３３）が水平方向に回動可能に構成されており、
前記ロック中札表示器（２１）が、前記操作レバーがロック解除位置にあるときは前記表示板が前記線路開閉器の背面側に隠れ、該操作レバーがロック位置にあるときは前記表示板が前記線路開閉器の正面側を向いた状態で現れるように、前記支持部によって前記操作レバーに取り付けられる、
ことを特徴とする、請求項１記載のロック中札表示器。
【請求項４】
前記支持部が、逆Ｕ字形断面の接続金具（４３）を備え、
該接続金具の固着面（４５）に、前記表示板（４２）の表示が該接続金具の開口部と垂直な方向を向くように、該表示板の底面が固着されており、
前記操作レバー（５３）が水平方向に回動可能に構成されており、
前記ロック中札表示器（４１）が、前記操作レバーがロック解除位置にあるときは前記表示板が前記線路開閉器の背面側を向き、該操作レバーがロック位置にあるときは前記表示板が前記線路開閉器の正面側を向くように、前記支持部によって前記操作レバーに取り付けられる、
ことを特徴とする、請求項１記載のロック中札表示器。
【請求項５】
前記表示板（８２）が、前記接続金具（８３）の両方の側面（８５，８８）に対して傾けられていることを特徴とする、請求項４記載のロック中札表示器。
【請求項６】
前記支持部が、逆Ｕ字形断面の接続金具（６３）および平板（６９）を備え、
前記表示板（６２）が、回動可能に前記平板（６９）に取り付けられており、
前記表示板の側面に、該表示板の表示に対して垂直に回転制限部（６２ａ）が設けられており、
前記接続金具の固着面（６５）に、前記表示板の表示が該接続金具の開口部と垂直な方向を向くように、前記平板が固着されており、
前記ロック中札表示器（６１）が、前記操作レバーがロック解除位置にあるときは前記表示板が前記平板の背面側に位置し、該操作レバーがロック位置にあるときは前記表示板が前記平板の背面から現れるように、前記支持部によって前記操作レバーに取り付けられる、
ことを特徴とする、請求項１記載のロック中札表示器。
【発明の詳細な説明】
【技術分野】
【０００１】
本発明は、ロック中札表示器に関し、特に、送電路を開閉する線路開閉器が開状態にロックされた状態であることを示すのに好適なロック中札表示器に関する。
【背景技術】
【０００２】
従来、発電所や変電所において作業を行う際は、線路開閉器を開放することで作業箇所を停電させる。この停電作業中には、作業員の安全を確保するため、線路開閉器を電気的または機械的に開状態に固定（ロック）している。また、ロック中であることを示す表示札をその線路開閉器に取り付けることにより、作業員にロック中であることを認知させ、誤って線路開閉器を投入してしまうことがないように、安全対策を講じている。
【０００３】
そのため、ロック操作の際は、作業員は発電所などの構内で表示札とロックするための鍵を持ち歩かなければならず、連系変電所などではロック対象の線路開閉器が数多くあるため、数十組の表示札と鍵とを持ち歩く場合もあるなど、非常に煩雑で、取付けおよび取外しの時間を要するものであった。
【０００４】
下記の特許文献１には、開閉器本体の開閉状態をそれぞれ表示する表示部を一端に備え、他端は引張コイルばねにより開閉器の開閉駆動部に連結され、中央部が軸に回動可能に取り付けられた開閉表示板からなり、開閉駆動部の駆動力を引張コイルばねを介して伝達して開閉表示板を回動するようにした、開閉器の開閉表示器が開示されている。
【特許文献１】特開２０００−２３６６０３号公報
【発明の開示】
【発明が解決しようとする課題】
【０００５】
しかしながら、上記の特許文献１に開示されている開閉表示器は、開閉器の開閉状態を示すものであって、そのロック状態を示すものではない。また、この開閉表示器は、常に開または閉のいずれかの状態を示すものであるが、通常時のロック解除状態では、その状態を示す表示は不要なものであるから、これをそのまま利用することはできない。さらに、この開閉表示器を既設の線路開閉器に使用するためには、線路開閉器のロック機構部の改造が必要であり、費用および手間がかかるものである。
【０００６】
本発明の目的は、費用および手間を最小限にして設置できかつ簡便に線路開閉器のロック状態を表示できるロック中札表示器を提供することにある。
【課題を解決するための手段】
【０００７】
本発明のロック中札表示器は、送電路を開閉する線路開閉器が開状態にロックされた状態であることを示すロック中札表示器であって、ロック中であることの表示を有する表示板と、前記線路開閉器の操作レバーに連動して前記表示板の向きが変わるように前記表示板を支持する支持部とを具備し、前記操作レバーがロック解除位置にあるときは前記表示板の表示が見えず、前記操作レバーがロック位置にあるときは前記表示板の表示が見えるように、前記支持部によって前記操作レバーに取り付けられることを特徴とする。
ここで、前記支持部が、逆Ｕ字形断面の接続金具（３）を備え、該接続金具の固着面（５）に、前記表示板（２）の表示が該接続金具の開口部側を向くように、該表示板の側面が固着されており、前記操作レバー（１３）が垂直方向に回動可能に構成されており、前記ロック中札表示器（１）が、前記操作レバーがロック解除位置にあるときは前記表示板が地面側を向き、該操作レバーがロック位置にあるときは前記表示板が前記線路開閉器（１０）の正面側を向くように、前記支持部によって前記操作レバーに取り付けられてもよい。
前記支持部が、断面コ字形の接続金具（２３）を備え、該接続金具の固着面（２５）に、前記表示板（２２）の表示が該接続金具の開口部側を向くように、該表示板の底面が固着されており、前記操作レバー（３３）が水平方向に回動可能に構成されており、前記ロック中札表示器（２１）が、前記操作レバーがロック解除位置にあるときは前記表示板が前記線路開閉器の背面側に隠れ、該操作レバーがロック位置にあるときは前記表示板が前記線路開閉器の正面側を向いた状態で現れるように、前記支持部によって前記操作レバーに取り付けられてもよい。
前記支持部が、逆Ｕ字形断面の接続金具（４３）を備え、該接続金具の固着面（４５）に、前記表示板（４２）の表示が該接続金具の開口部と垂直な方向を向くように、該表示板の底面が固着されており、前記操作レバー（５３）が水平方向に回動可能に構成されており、前記ロック中札表示器（４１）が、前記操作レバーがロック解除位置にあるときは前記表示板が前記線路開閉器の背面側を向き、該操作レバーがロック位置にあるときは前記表示板が前記線路開閉器の正面側を向くように、前記支持部によって前記操作レバーに取り付けられてもよい。
前記表示板（８２）が、前記接続金具（８３）の両方の側面（８５，８８）に対して傾けられていてもよい。
前記支持部が、逆Ｕ字形断面の接続金具（６３）および平板（６９）を備え、前記表示板（６２）が、回動可能に前記平板（６９）に取り付けられており、前記表示板の側面に、該表示板の表示に対して垂直に回転制限部（６２ａ）が設けられており、前記接続金具の固着面（６５）に、前記表示板の表示が該接続金具の開口部と垂直な方向を向くように、前記平板が固着されており、前記ロック中札表示器（６１）が、前記操作レバーがロック解除位置にあるときは前記表示板が前記平板の背面側に位置し、該操作レバーがロック位置にあるときは前記表示板が前記平板の背面から現れるように、前記支持部によって前記操作レバーに取り付けられてもよい。
【発明の効果】
【０００８】
本発明のロック中札表示器は、以下に示す効果を奏する。
（１）ロック中であることの表示を有する表示板と、線路開閉器の操作レバーに連動して表示板の向きが変わるように表示板を支持する支持部とを具備する簡潔な構成であるため、既設の線路開閉器に対して費用および手間を最小限にして設置できる。
（２）表示板の向きは、操作レバーがロック解除位置にあるときは表示が見えず、操作レバーがロック位置にあるときは表示が見えるように設定されるので、操作レバーにより線路開閉器をロック状態に設定するだけで自動的にロック中の表示が視認可能となる。
（３）作業員が表示札などを持ち歩く必要がなく、簡便に線路開閉器のロック状態を表示できる。
（４）線路開閉器がロック状態でないときには表示が見えないので、「ロック中」の表示をしてしまうことがなく、従来の表示札の外し忘れによる誤表示を防止できる。
【発明を実施するための最良の形態】
【０００９】
費用および手間を最小限にして設置しかつ簡便に線路開閉器のロック状態を表示するという目的を、操作レバーがロック解除位置にあるときは表示板の表示が見えないが、操作レバーがロック位置にあるときは表示板の表示が見えるように、ロック中札表示器を支持部によって操作レバーに取り付けることにより実現した。
【実施例１】
【００１０】
以下、本発明のロック中札表示器の実施例について、図面を参照して説明する。
本発明の第１の実施例によるロック中札表示器１は、図１に示すように、ロック中であることを示す表示（文字４）を有する表示板２と、表示板２を支持する支持部として機能する接続金具３とを具備する。
【００１１】
表示板２には、ロック中であることを示す「ロック中」という文字４が表示されている。
接続金具３は、逆Ｕ字形断面の金具である。接続金具３の一方の側面（以下、「固着面５」と称する。）には、表示板２の文字表示面（文字４を表示した面）が接続金具３の固着面５と他方の側面８との間の開口部側を向くように、表示板２の側面が溶接または接着剤などで固着されている。ロック中札表示器１は、接続金具３の固着面５に設けられた２つのネジ穴６ａ，６ｂに２本のネジ７ａ，７ｂをそれぞれ螺合させ、図２および図３に示すように接続金具３の開口部に線路開閉器１０のコ字状の操作レバー１３の一方の側面を挟んだのちに２本のネジ７ａ，７ｂをそれぞれ締め付けることにより、操作レバー１３に取り付けられる。
【００１２】
ここで、線路開閉器１０は、図２に示すように、開閉装置（不図示）を内蔵する本体１１と、本体１１内の開閉装置に接続して開閉操作を行う操作棒１２と、開閉装置を開状態にロックしたりロックを解除したりする操作レバー１３とを備える。操作レバー１３は、垂直方向に回動可能なように蝶番１４を介して操作棒１２に取り付けられている。
【００１３】
線路開閉器１０のロック解除状態では、操作レバー１３は水平に倒されているので、操作レバー１３に取り付けられたロック中札表示器１の表示板２も水平に倒れ、表示板２の文字４は地面側を向く。このため、線路開閉器１０の正面方向からは表示板２の文字４を視認することができない。
【００１４】
これに対して、線路開閉器１０のロック状態では、図３に示すように、操作レバー１３は蝶番１４を回転軸として回動させられて垂直に立てられるので、操作レバー１３に取り付けられた表示板２も垂直に立ち上がり、表示板２の文字４は正面を向く。このため、線路開閉器１０の正面方向から表示板２の文字４が見えるので、作業員は線路開閉器１０がロック中であることがわかる。
【実施例２】
【００１５】
次に、本発明の第２の実施例によるロック中札表示器について、図４乃至図６を参照して説明する。
本実施例によるロック中札表示器２１は、図４に示すように、ロック中であることを示す表示を有する表示板２２と、表示板２２を支持する支持部として機能する接続金具２３とを具備する。
【００１６】
表示板２２には、ロック中であることを示す「ロック中」という文字２４が表示されている。
接続金具２３は、断面コ字形の金具である。接続金具２３の上面部（以下、「固着面２５」と称する。）には、表示板２２の文字表示面が接続金具２３の固着面２５と他方の側面２８との間の開口部側を向くように、表示板２２の底面が溶接または接着剤などで固着されている。ロック中札表示器２１は、接続金具２３の固着面２５に設けられた２つのネジ穴２６ａ，２６ｂに２本のネジ２７ａ，２７ｂをそれぞれ螺合させ、図５および図６に示すように接続金具２３の開口部に線路開閉器３０の操作レバー３３の先端部を挟んだのちに２本のネジ２７ａ，２７ｂをそれぞれ締め付けることにより、操作レバー３３に取り付けられている。
【００１７】
ここで、線路開閉器３０は、図５に示すように、開閉装置（不図示）を内蔵する本体３１と、本体３１内の開閉装置に接続して開閉操作を行う操作棒３２と、開閉装置を開状態にロックしたりロックを解除したりする操作レバー３３とを備える。操作レバー３３は、水平方向に回動可能なように支持部材３４を介して本体３１に接続されている。
【００１８】
線路開閉器３０のロック解除状態では、図５に示すように、操作レバー３３の先端部が操作棒３２の背後に位置されるので、操作レバー３３の先端部に取り付けられたロック中札表示器２１も操作棒３２の背後に隠れる。このため、線路開閉器３０の正面方向からは表示板２２の文字２４を視認することができない。
【００１９】
これに対して、線路開閉器３０のロック状態では、図６に示すように、操作レバー３３を水平方向に回動するので、操作レバー３３に取り付けられたロック中札表示器２１も水平方向に移動し、表示板２２の文字２４が正面側を向く。このため、線路開閉器３０の正面方向からロック状態表示器２１の文字２４が見えるので、作業員は線路開閉器３０がロック中であることがわかる。
【実施例３】
【００２０】
次に、本発明の第３の実施例によるロック中札表示器について、図７乃至図９を参照して説明する。
本実施例によるロック中札表示器４１は、図７に示すように、ロック中であることを示す表示板４２と、表示板４２を支持する支持部として機能する接続金具４３とを具備する。
【００２１】
表示板４２には、ロック中であることを示す「ロック中」という文字４４が表示されている。
接続金具４３は、逆Ｕ字形断面の金具である。接続金具４３の上面（以下、「固着面４５」と称する。）には、表示板４２の文字表示面が接続金具４３の両方の側面の間の開口部と垂直な方向を向くように、表示板４２の底面が溶接または接着剤などで固着されている。また、ロック中札表示器４１は、接続金具４３の一方の側面に設けられた２つのネジ穴４６ａ，４６ｂに２本のネジ４７ａ，４７ｂをそれぞれ螺合させ、図８および図９に示すように、接続金具４３の両方の側面の間に操作レバー５３を挟んで２本ネジ４７ａ，４７ｂをそれぞれ締め付けることにより、操作レバー５３に取り付けられている。
【００２２】
ここで、線路開閉器５０は、図８に示すように、開閉装置（不図示）を内蔵する本体５１と、本体５１内の開閉装置に接続して開閉操作を行う操作棒５２と、開閉装置を開状態にロックしたりロックを解除したりする操作レバー５３とを備える。操作レバー５３は、水平方向に回動可能とするために、操作棒５２と連動するように連結軸５４を介して連結されている。
【００２３】
線路開閉器５０のロック解除状態では、図８に示すように、操作レバー５３が操作棒５２側に位置し、ロック中札表示器４１は、表示板４２の文字表示面が線路開閉器５０の側に向くように、操作レバー５３に取り付けられている。このため、線路開閉器５０の正面方向からは文字４４を視認することができない。
【００２４】
これに対して、線路開閉器５０のロック状態では、図９に示すように、操作レバー５３は連結軸５４を中心として水平にかつ操作棒５２と逆方向に約１８０度に回動される。これにより、操作レバー５３に取り付けられた表示板４２も水平方向に約１８０度回転し、表示板４２の文字表示面が正面側を向く。このため、線路開閉器５０の正面方向から表示板４２の文字４４が見えるので、作業員は線路開閉器５０がロック中であることがわかる。
【実施例４】
【００２５】
次に、本発明の第４の実施例によるロック中札表示器について、図１０乃至図１３を参照して説明する。
本実施例によるロック中札表示器６１は、図１０に示すように、ロック中であることを示す表示板６２と、表示板６２を支持する支持部として機能する接続金具６３および平板６９とを具備する。
【００２６】
表示板６２には、ロック中であることを示す「ロック中」という文字６４が表示されている。
表示板６２は、その下部において、ピン６９ａを回転軸として回動可能に平板６９に取り付けられている。また、表示板６２の図示左側の側面には、表示板６２の文字表示面に対して垂直に回転制限部６２ａが設けられている。これにより、回転制限板６２ａの下面が平板６９の上面に当接することにより、表示板６２は直立するように平板６９によって支持される。
【００２７】
接続金具６３は、逆Ｕ字形断面の金具である。接続金具６３の一方の側面（以下、「固着面６５」と称する。）には、平板６９が溶接または接着剤などで固着されている。ロック中札表示器６１は、接続金具６３の他方の側面６８に設けられた２つのネジ穴６６ａ，６６ｂに２本のネジ６７ａ，６７ｂをそれぞれ螺合させ、図１２および図１３に示すように、接続金具６３の開口部に操作レバー７３の一方の側面を挟んで２本のネジ６７ａ，６７ｂを締め付けることにより、操作レバー７３に取り付けられている。
【００２８】
図１１に示すように、線路開閉器７０のロック解除状態では、表示板６２は、図１０に示した直立状態からピン６９ａを回転軸として約９０度回動した平板６９の背面側の位置にある。これにより、図１２に示すように、線路開閉器７０の正面側から表示板６２の文字６４を視認することができない。
【００２９】
ここで、線路開閉器７０は、図１２および図１３に示すように、開閉装置（不図示）を内蔵する本体７１と、本体７１内の開閉装置に接続して開閉操作を行う操作棒７２と、開閉装置を開状態にロックしたりロックを解除したりする操作レバー７３と、支持部材７４とを備える。操作レバー７３は、支持部材７４を回転軸として約１８０度回動可能となるように、支持部材７４を介して本体７１に接続されている。
【００３０】
線路開閉器７０のロック解除状態では、図１２に示すように、操作レバー７３は操作棒７２の正面側に位置し、また、表示板６２は平板６９の背面側に位置しているので、操作レバー７３の背後に隠れている。このため、線路開閉器７０の正面方向から表示板６２の文字６４を視認することができない。
【００３１】
線路開閉器７０のロック状態では、図１３に示すように、操作レバー６３が操作棒７２と逆方向に約１８０度回動されるので、操作レバー７３と共にロック中札表示器６１も約１８０度回転される。このとき、表示板６２もピン６９ａを回転軸として約９０度回動して直立するので、表示板６２は、文字表示面が正面側を向いた状態で、平板６９の背面から現れる。これにより、線路開閉器７０の正面側から表示板６２の文字６４を視認することができ、作業員は線路開閉器７０がロック中であることがわかる。
【実施例５】
【００３２】
次に、本発明の第５の実施例によるロック中札表示器について、図１４を参照して説明する。
本実施例によるロック中札表示器８１は、図１４に示すように、ロック中であることを示す表示板８２と、表示板８２を支持する支持部として機能する接続金具８３とを具備する。
【００３３】
表示板８２には、ロック中であることを示す「ロック中」という文字８４が表示されている。
接続金具８３は、逆Ｕ字形断面の金具である。接続金具８３の上面（固着面）には、表示板８２の底面が溶接または接着剤などで固着されているが、本実施例によるロック状態表示器８１では、表示板８２が接続金具８３の両方の側面８５，８８に対して傾けられている点で、図７に示した第３の実施例によるロック中札表示器４１と異なっている。
【００３４】
ロック中札表示器８１は、接続金具８３の一方の側面部８５に設けられた２つのネジ穴８６ａ，８６ｂに２本のネジ８７ａ，８７ｂをそれぞれ螺合させ、接続金具８３の開口部（両方の側面８５，８８の間）に前述したような操作レバーを挟んで２本のネジ８７ａ，８７ｂをそれぞれ締め付けることにより、操作レバーに取り付けられる。
【００３５】
ロック中札表示器８１は、たとえば、図８および図９に示す線路開閉器５０と同様の線路開閉器において、ロック時に操作レバーが線路開閉器の正面側を向かない場合に使用することができる。
【産業上の利用可能性】
【００３６】
本発明のロック状態表示器は、たとえば、送電路を開閉する線路開閉器が開状態にロックされた状態であることを示すロック中札表示きとして利用することができる。
【図面の簡単な説明】
【００３７】
【図１】本発明の第１の実施例によるロック中札表示器１の構成を示す図である。
【図２】ロック解除時の図１に示したロック中札表示器１の状態を示す図である。
【図３】ロック時の図１に示したロック中札表示器１の状態を示す図である。
【図４】本発明の第２の実施例によるロック中札表示器２１の構成を示す図である。
【図５】ロック解除時の図４に示したロック中札表示器２１の状態を示す図である。
【図６】ロック時の図４に示したロック中札表示器２１の状態を示す図である。
【図７】本発明の第３の実施例によるロック中札表示器４１の構成を示す図である。
【図８】ロック解除時の図７に示したロック中札表示器４１の状態を示す図である。
【図９】ロック時の図７に示したロック中札表示器４１の状態を示す図である。
【図１０】本発明の第４の実施例によるロック中札表示器６１の構成を示す図である。
【図１１】図１０に示したロック中札表示器６１の表示板６２の文字表示面が隠れた状態を示す図である。
【図１２】ロック解除時の図１０に示したロック中札表示器６１の状態を示す図である。
【図１３】ロック時の図１０に示したロック中札表示器６１の状態を示す図である。
【図１４】本発明の第５の実施例によるロック中札表示器８１の構成を示す図である。
【符号の説明】
【００３８】
１，２１，４１，６１，８１  ロック中札表示器
２，２２，４２，６２，８２  表示板
３，２３，４３，６３，８３  接続金具
４，２４，４４，６４，８４  文字
５，２５，４５，６５  固着面
６ａ，６ｂ，２６ａ，２６ｂ，４６ａ，４６ｂ，６６ａ，６６ｂ，８６ａ，８６ｂ  ネジ穴
７ａ，７ｂ，２７ａ，２７ｂ，４７ａ，４７ｂ，６７ａ，６７ｂ，８７ａ，８７ｂ  ネジ
８，２８，６８，８５，８８  側面
１０，３０，５０，７０  線路開閉器
１１，３１，５１，７１  本体
１２，３２，５２，７２  操作棒
１３，３３，５３，７３  操作レバー
１４  蝶番
５４  連結軸
６２ａ  回転制限部
６９  平板
６９ａ  ピン
７４  支持部材
【図１】
2008010172.tif 000003
【図２】
2008010172.tif 000004
【図３】
2008010172.tif 000005
【図４】
2008010172.tif 000006
【図５】
2008010172.tif 000007
【図６】
2008010172.tif 000008
【図７】
2008010172.tif 000009
【図８】
2008010172.tif 000010
【図９】
2008010172.tif 000011
【図１０】
2008010172.tif 000012
【図１１】
2008010172.tif 000013
【図１２】
2008010172.tif 000014
【図１３】
2008010172.tif 000015
【図１４】
2008010172.tif 000016